(57)【要約】【課題】凹溝部分で大きく変形せず破断することを防止でき、暖房の使用時と不使用時のフロア基材の伸縮が小さい木質系床材を提供する。【解決手段】木質系の床材１は、複数プライを有する積層されたフロア基材２の裏面側から複数の凹溝６を形成してあり、凹溝６はフロア基材の長辺方向Ｌと交差する短辺方向Ｗに形成され、凹溝６は底面の繊維方向Ｓ２がフロア基材２の長辺方向Ｌに沿うように形成してある。フロア基材２は、奇数プライからなる合板から形成され、表面及び裏面の第１プライ２ａ、第５プライ２ｅはフロア基材の短辺方向Ｗの繊維方向Ｓ１，Ｓ５のクロス合板が好ましい。凹溝６の深さは、床材１の全厚さの約６０％を超える。【選択図】  図３
2004183432.tif 000002
【特許請求の範囲】
【請求項１】
複数プライを有する積層されたフロア基材の裏面側から凹溝を形成した木質系床材であって、
前記凹溝は、前記フロア基材の長辺方向と交差する短辺方向に形成され、前記凹溝は、その底面の繊維方向が前記長辺方向に沿うように形成してあることを特徴とする木質系床材。
【請求項２】
前記凹溝の深さは、前記木質系床材の全厚さの約６０％を超えることを特徴とする請求項１記載の木質系床材。
【発明の詳細な説明】
【０００１】
【発明の属する技術分野】
本発明は、住宅等の床下地材に固定する合板製の木質系床材に係り、特に、温水等を循環させる配管を収容することができる凹溝を形成してあり、暖房用に好適な木質系床材に関する。
【０００２】
【従来の技術】
従来の防音暖房用床材は、合板のような木質材の基材の表面に床表面材を貼り、基材に裏面側からコード収納用の凹溝を穿設し、凹溝にコードヒータを挿通し、基材の裏面にクッション材を貼着して成る。そして、基材の凹溝間に細い幅の切り溝を複数穿設して成る（例えば、特許文献１参照）。
【０００３】
【特許文献１】
特開平８−１６５７９０号公報（図１，２）
【０００４】
【発明が解決しようとする課題】
ところで、前記構造の防音暖房用床材は、木質系の基材の裏面側から凹溝を穿設し、この凹溝の深さは図示の例では基材の厚さの３分の２以上の深さとなっている。この種の暖房用床材は、コードヒータや温水を循環させる配管を収容しやすいように、ある程度大きい幅と深さを有する形状となっている。このため、基材自体の強度が低下し、例えば床材を搬送するときに端部を支持すると、床材は大きく湾曲して凹溝部分で折れてしまう虞があった。
【０００５】
本発明は、このような問題に鑑みてなされたものであって、その目的とするところは、温水等の熱媒体が循環する配管等を収容する凹溝の深さをフロア基材の厚さに対して大きく形成しても、凹溝部分で大きく変形して破断することを防止でき、強度的に優れた木質系床材を提供することにある。また、暖房使用等によりフロア基材が膨潤、収縮しても反りにくく、床材の表面から凹溝の形状が映りにくい木質系床材を提供することにある。
【０００６】
【課題を解決するための手段】
前記目的を達成すべく、本発明に係る木質系床材は、複数プライを有する積層されたフロア基材の裏面側から凹溝を形成してあり、凹溝はフロア基材の長辺方向と交差する短辺方向に形成され、凹溝は、その底面の繊維方向がフロア基材の長辺方向に沿うように形成してあることを特徴とする。
【０００７】
前記のごとく構成された本発明の木質系床材は、床材の長辺方向と交差する短辺方向に形成された凹溝の底面が、フロア基材の長辺方向に沿う繊維方向となっているため、この床材を両端で支持して凹溝部分に応力が集中しても、この応力を繊維方向が長辺方向のプライで受けるため、フロア基材が長辺方向に変形しにくく、変形が小さいため凹溝部分で破断することを防止できる。また、凹溝に床暖房用の配管を収容した場合、床材の固定状態では凹溝の底面は上面となり、加熱と冷却による床材の伸縮が直上の長辺方向の繊維方向を有するプライに沿って行われるため、反りが小さくなり、凹溝の形状が床材の表面側から見えにくくなる。
【０００８】
また、前記フロア基材は、奇数プライを有する合板から形成され、表面及び裏面のプライは該フロア基材の長辺方向と交差する短辺方向の繊維方向を有し、凹溝はフロア基材の中間プライより１層表面側の繊維方向が長辺方向のプライまで形成すると好適である。特に、中間プライより１層表面側のプライに接するか、僅かに削る程度に形成することが好ましい。
【０００９】
このように構成すると、中間プライより１層表面側のプライの繊維方向が長辺方向となって、前記の床材と同様に凹溝部分での破断を防止できる。また、フロア基材の表面側及び裏面側のプライは、繊維方向が長辺方向と交差する短辺方向なので、全体として繊維方向が短辺方向のプライが、繊維方向が長辺方向のプライより１層だけ多くなる。そして、加熱と冷却によるフロア基材の伸縮は、中間プライの上の床材の長辺方向に繊維方向が沿うプライで行われるため、反りが全体として小さくなり、凹溝が表面側から目立ちにくくなる。
【００１０】
本発明に係る木質系床材の好ましい具体的な態様としては、前記凹溝の深さは、木質系床材の全厚さの約６０％を超えることを特徴とする。特に６０〜７０％の範囲で凹溝の深さを設定すると、床材の取扱をあまり気にしないでも破断を防止でき、床暖房用の配管等を凹溝内に余裕を持って収容することができる。凹溝の断面形状は、配管を収容しやすいように略正方形にして、凹溝底面のコーナー部にアール面取りすることが好ましい。
【００１１】
【発明の実施の形態】
以下、本発明に係る木質系床材の一実施形態を図面に基づき詳細に説明する。図１は、本実施形態に係る木質系床材の斜視図、図２は、図１の要部断面図、図３は、図１，２の床材を裏面側より見た要部斜視図である。
【００１２】
図１〜３において、木質系床材（以下、床材という）１は、複数プライを有する積層された合板製のフロア基材２と、フロア基材２の表面に貼り付けられた突板等の表面材３とを備えている。床材１の外周には雄実部４と、雌実部５が形成され、床材１は前記の２つの実部４，５を噛み合わせて床下地材（図示せず）上に順次固定される。本実施形態では、フロア基材２は５層のプライを有する合板から形成され、各プライは相互に繊維方向が直角方向に交差するように積層され、表面及び裏面の繊維方向Ｓ１，Ｓ５が短辺方向Ｗのクロス合板となっている。
【００１３】
すなわち、表面側の第１プライ２ａは床材１の長辺方向Ｌと交差する短辺方向Ｗの繊維方向Ｓ１を有し、その下層の第２プライ２ｂは長辺方向Ｌの繊維方向Ｓ２を有し、以下、第３プライ２ｃ及び第５プライ２ｅは長辺方向Ｌと交差する短辺方向Ｗの繊維方向Ｓ３，Ｓ５を有し、第４プライ２ｄは長辺方向Ｌの繊維方向Ｓ４を有している。なお、各プライ２ａ〜２ｅが交差する方向は直角であることに限らず、例えば長辺方向に対して７０〜８０度等の適当な角度で交差するものでもよい。
【００１４】
フロア基材２は、裏面の第５プライ２ｅ側から、長辺方向Ｌと交差する短辺方向Ｗの凹溝６が所定の間隔（約７５ｍｍピッチ）で複数本形成されている。この凹溝６は、中間の第３プライ２ｃより１層表面側の第２プライ２ｂまで掘り込んだ状態で裏面に開口して形成され、第２プライ２ｂは繊維方向Ｓ２が長辺方向であるため、図３に示すように凹溝６の底面は繊維方向Ｓ２が長辺方向Ｌに沿うように形成している。合板から構成される床材の剛性を維持するのは、長辺方向に沿う繊維方向のプライであり、凹溝の底面の繊維方向を長辺方向として、剛性を保っている。
【００１５】
このように凹溝６は裏面側より、第５、第４、第３の各プライ２ｅ，２ｄ，２ｃを貫通して第２プライ２ｂを僅かに掘り込んだ位置まで達しており、凹溝６の底面は第２プライ２ｂ内に位置している。そして、凹溝６の断面積は板厚の半分以上掘り込まれて大きく形成され、温水暖房用の配管Ｐ（図２参照）を容易に収容することができるように断面形状が略正方形状で、凹溝底面のコーナーにアール面取りが付けられている。凹溝６の幅は、配管Ｐが直線的に収容される場合は１５ｍｍ程度に設定され、配管Ｐが湾曲して収容される場合は、収容を容易にするため２０ｍｍ程度に設定される。
【００１６】
前記の如く構成された本実施形態の床材１は、複数の凹溝６が第３（中間）プライ２ｃを貫通して、その表面側の第２プライ２ｂまで板厚の半分以上の深さであって大きな断面積を有しても、凹溝６の底面の繊維方向Ｓ２が長辺方向Ｌとなっているため、例えば床材１を両端で持って、短辺方向Ｗの凹溝６に応力が集中しても、凹溝部分の連結層は第１プライ２ａと、第２プライ２ｂの半分以上で凹溝６の底面の繊維方向Ｓ２が長辺方向Ｌに沿っており、この応力を底面の長辺方向の繊維で受けるため、フロア基材２の強度は大きく、変形を小さく抑えることができ、破断を防止することができる。このため、床材１の取扱に細心の注意を払わなくても破断を防止でき、取扱が容易となる。
【００１７】
また、フロア基材２は長辺方向Ｌに沿う繊維方向を有するプライは第２プライ２ｂと第４プライ２ｄの２層で、長辺方向Ｌと交差する短辺方向Ｗの繊維方向を有するプライは第１、第３、第５の各プライ２ａ，２ｃ，２ｅの３層であり、全体として繊維方向が長辺方向Ｌに沿うプライ数が少なくなっているおり、表面の第１プライ２ａの繊維方向が短辺方向で、凹溝６の底面（床材の固定状態では直上）の繊維方向が長辺方向であるため、凹溝６に温水暖房用の配管Ｐが収容されて床材１が加熱され、この熱による水分の放散によってフロア基材２が収縮しても反りが小さく、凹溝部分が表面側から映りにくく、見えにくくなる。
【００１８】
一例として、表面の突板３の厚さが０．３ｍｍで、フロア基材２である合板が５プライを有するクロスグレイン合板の１２ｍｍ厚の場合、凹溝６の幅を約８ｍｍで深さを７．７ｍｍに形成しても、床材１は強度的にしっかりしており、両端部を持って支持しても破断する虞がなく、パイプＰの外径が７．２ｍｍの合成樹脂製配管を余裕を持って収容できる。この場合の凹溝の深さは、床材１の全厚さの約６４％となる。
【００１９】
また、図４（ａ）に示すように、中間の第３プライ２ｃと、その上の第２プライ２ｂとの接合面まで凹溝６Ａを形成すると、凹溝の底面は第２プライ２ｂが見えて繊維方向Ｓ２が長辺方向Ｌとなり、各プライ厚が均等の場合、約２．４ｍｍであるため、凹溝の深さは２．４×３層で約７．２ｍｍとなる。この場合は、床材１の厚さが１２ｍｍで凹溝６Ａの深さが７．２ｍｍとなって、凹溝６Ａは床材１の全厚さの約６０％となる。
【００２０】
さらに、図４（ｂ）に示すように、凹溝を第２プライ２ｂに掘り込んで、第２プライの厚さを半分（約１．２ｍｍ）残す場合、凹溝６Ｂの深さは２．４×３＋１．２で約８．４ｍｍとなり、凹溝６Ｂの深さが床材１の全厚さに対して約７０％となる。このように、凹溝６Ａ，６Ｂの深さが床材１の全厚さに対して約６０〜７０％となっても、凹溝の底面の繊維方向Ｓ２が長辺方向Ｌであると、床材１は凹溝部分で破断することは殆んどない。
【００２１】
この床材１を床下地材上に固定すると、凹溝６は床下地材で下方の開口が閉塞され、配管用のスペースが形成される。このスペースは断面形状が略正方形状で縦横の寸法が略等しいため、温水暖房用のパイプや、電気暖房用のコードヒータ等を容易に収容できる。パイプやコードヒータは、予め床下地材上に設置し、床材を上から固定するか、あるいは最初に床材を固定し、凹溝のスペース内に挿入するようにしてもよい。床材１の床下地材との固定は、接着剤あるいは釘止めにより行われるが、両者を併用してもよい。
【００２２】
なお、奇数プライを有する合板に凹溝６を形成するとき、中間の第３プライ２ｃより１層表面側の第２プライ２ｂの繊維方向が長辺方向の層は、なるべく厚く残すことが好ましく、図４（ａ）のように第３プライ２ｃとその上の第２プライ２ｂの接合面まで凹溝６Ａを形成し、繊維方向Ｓ２が長辺方向Ｌの第２プライ２ｂは全厚さを残して底面の繊維方向が長辺方向になるようにすることが強度上望ましい。
【００２３】
本発明の他の実施形態を図面に基づき詳細に説明する。図５は本発明に係る木質系床材の他の実施形態の要部斜視図である。なお、この実施形態は前記した実施形態に対し、フロア基材の表面に高密度繊維板（以下、ＨＤＦという）が貼り付けられ、さらにＨＤＦの表面側に突板が貼り付けられていることを特徴とする。そして、他の実質的に同等の構成については同じ符号を付して詳細な説明は省略する。
【００２４】
ＨＤＦとは、木材を繊維化し成形した高密度繊維板であり、間伐材等から形成できるため資源を最大限に活用できる上、木材だけを使用しているので、廃棄時も自然界に返すことができるもので、高密度、高強度、高耐水、高耐久など優れた特性を持つ建材に最適な素材である。
【００２５】
図５において、木質系床材１０は、フロア基材１１の表面にＨＤＦ１２を貼り付け、さらにＨＤＦ１２の表面に突板１３を貼り付けた複合基材である。フロア基材１１は５プライを有する厚さが１１ｍｍのクロスグレイン合板から形成されている。ＨＤＦ１２の厚さは０．６ｍｍ程度、突板１３の厚さは０．３ｍｍ程度のものが用いられている。
【００２６】
そして、フロア基材１１は前記の実施形態と同様に、表面側より第１、第２〜第５プライ１１ａ〜１１ｅを有しており、第１、第３、第５プライ１１ａ，１１ｃ，１１ｅは長辺方向Ｌと直角に交差する短辺方向Ｗの繊維方向Ｓ１，Ｓ３，Ｓ５となっており、第２、第４プライ１１ｂ，１１ｄは長辺方向Ｌに沿う繊維方向Ｓ２，Ｓ４となっている。
【００２７】
この実施形態においても、フロア基材１１の裏面側から形成された凹溝１５は第２プライ１１ｂまで掘り込まれて、その底面の繊維方向Ｓ２が床材１の長辺方向Ｌに沿っている。このため、凹溝１５部分に応力が集中しても繊維方向が長辺方向Ｌのプライで受けることができるため変形を小さくでき、この部分で破断することを防止できる。また、前記の実施形態と同様、反りが小さく、表面側から凹溝の形状が映りにくいという効果を有する。なお、この実施形態において、ＨＤＦは１層のみ積層した例を示したが、ＨＤＦを複数層形成してもよい。
【００２８】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、前記の実施形態では５層のプライを有する例を示したが、７プライや９プライの合板でもよいことは勿論であり、偶数プライを有するものであってもよい。
【００２９】
例えば、７プライを有する合板の場合は、表面側を第１プライとすると中間層は第４プライとなり、凹溝は第３プライまで形成する。この場合の凹溝部分で残っている連結層は第１、第２プライと、第３プライの半分程度となり、第３プライが長辺方向の繊維方向を有する層となる。また、偶数プライを有するフロア基材の場合は、凹溝は裏面から半分までのプライと、その次の表面側のプライの一部を掘り込んで形成され、この掘り込まれたプライの繊維方向が長辺方向となればよい。さらに、床材を構成するフロア基板は、表面と裏面の繊維方向が短辺方向のクロス合板に限られず、表面と裏面の繊維方向が長辺方向の合板でもよい。
【００３０】
フロア基材の裏面側から形成する凹溝の幅を小さく設定し、熱媒体を循環させる配管を収容しないものは防音効果を有するものとなり、衝撃音等を低減でき防音用の床材として最適である。さらに、凹溝には温水暖房用の配管のみでなく、床暖房用のコードヒータ、あるいは電気配線や信号線等を挿入するものであってもよい。
【００３１】
【発明の効果】
以上の説明から理解できるように、本発明の木質系床材は、凹溝部分の深さを大きく形成しても強度的に優れており、この部分で破断することを防止することができ取扱が容易となる。このため、温水等の熱媒体を循環させる配管等を容易に収容することができ、床暖房用に適した木質系床材とすることができる。また、長辺方向の膨潤、収縮を小さくできるため反りを小さくできる。さらに、凹溝は床材の表面から見えにくくなる。
【図面の簡単な説明】
【図１】本発明に係る木質系床材の一実施形態の斜視図。
【図２】図１の要部断面図。
【図３】図１，２の床材を裏面側より見た要部斜視図。
【図４】凹溝の深さの異なる他の例を示す要部断面図。
【図５】本発明に係る木質系床材の他の実施形態の裏面側より見た要部斜視図。
【符号の説明】
１、１０…木質系床材、２，１１…フロア基材、２ａ〜２ｅ，１１ａ〜１１ｅ…各プライ、６，６Ａ，６Ｂ，１５…凹溝、Ｌ…長辺方向、Ｗ…短辺方向、Ｓ１〜Ｓ５…繊維方向
【図１】
2004183432.tif 000003
【図２】
2004183432.tif 000004
【図３】
2004183432.tif 000005
【図４】
2004183432.tif 000006
【図５】
2004183432.tif 000007